(57)【要約】【課題】  所定位置で折り曲げるだけで使用可能な状態にすることのできる表示体を提供する。【解決手段】  本発明の表示体１０は、一枚のシート材２０で構成されるものであって、設置面Ｔに当接するベース部１と、ベース部１と連続する重なり部２と、重なり部２と連続する表示部３を備えている。ベース部１と重なり部２の間には通孔を備えたミシン線４が設けられ、重なり部２と表示部３の間には折り曲げ線５が設けられている。ベース部１と重なり部２は、シート材２０がミシン線４の部分で折り曲げられることによって重なり合い、重なり合ったベース部１と重なり部２は、その一部が固定されている。表示部３は折り曲げ線５の部分で起立方向に折り曲げることによって起立し、倒伏方向に倒すことによって偏平状にできるようにしてある。【選択図】図１
2020204654.tif 000002
【特許請求の範囲】
【請求項１】
一枚のシート材で構成される表示体において、
前記表示体を設置する設置面に当接するベース部と、当該ベース部と連続する重なり部と、当該重なり部と連続する表示部を備え、
前記ベース部と重なり部の間には通孔を備えたミシン線が設けられ、
前記重なり部と表示部の間には折り曲げ線が設けられ、
前記ベース部と重なり部は、シート材がミシン線の部分で折り曲げられることによって重なり合い、
前記重なり合ったベース部と重なり部は、その一部が固定され、
前記表示部は、前記折り曲げ線の部分から起立方向に折り曲げることによって起立し、倒伏方向に倒すことによって偏平状にすることができる、
ことを特徴とする表示体。
【請求項２】
請求項１記載の表示体において、
ミシン線の通孔は、重なり部をベース部側に折りたたむ際に当該重なり部とベース部の間に存在する空気を通過させるための空気抜き用の孔である、
ことを特徴とする表示体。
【発明の詳細な説明】
【技術分野】
【０００１】
本発明はいわゆるＰＯＰ広告等として利用可能な表示体に関し、より詳しくは、一枚のシート材で構成される表示体に関する。
【背景技術】
【０００２】
従来、一枚のシート材で構成される表示体として、使用時には起立した状態に組み立てることができ、不使用時には平たく折りたたむことができるものが知られている（特許文献１）。
【先行技術文献】
【特許文献】
【０００３】
【特許文献１】実用新案登録第３２０９６９０号公報
【発明の概要】
【発明が解決しようとする課題】
【０００４】
前記特許文献１の表示体は、情報が表示された部分（表示部）を起立させるために、シート材の一端側に設けられた突片をシート材の他端側に設けられたコ字状切込みに差し込まなければならないため、使用可能な状態に組み立てるまでに手間がかかる。
【０００５】
本発明は前記事情に鑑みてなされたものであり、その解決課題は、所定位置で折り曲げるだけで表示部を起立させることができる表示体を提供することにある。
【課題を解決するための手段】
【０００６】
本発明の表示体は、一枚のシート材で構成される表示体であって、設置面に当接するベース部と、ベース部と連続する重なり部と、重なり部と連続する表示部を備えている。ベース部と重なり部の間には通孔を備えたミシン線が設けられ、重なり部と表示部の間には折り曲げ線が設けられている。ベース部と重なり部は、シート材がミシン線の部分で折り曲げられることによって重なり合い、重なり合ったベース部と重なり部は、その一部が固定されている。表示部は折り曲げ線の部分で起立方向に折り曲げることによって起立し、倒伏方向に倒すことによって倒伏する（偏平状になる）ようにしてある。
【０００７】
なお、本願において、起立方向とはベース部側に倒伏している表示部がベース部と垂直又は略垂直となるように立ち上がる方向を、倒伏方向とは立ち上がった状態の表示部がベース部と平行又は略平行になるように倒れる方向をいう。
【発明の効果】
【０００８】
本発明の表示体は、シート材を所定位置で折り曲げるだけで表示部を起立させられるので、使用可能な状態にするまでに手間がかからない。
【図面の簡単な説明】
【０００９】
【図１】本発明の表示体の一例を示す斜視図。
【図２】（ａ）は折り曲げられる前の表示体の表面を示すもの、（ｂ）は（ａ）の裏面を示すもの、（ｃ）は（ａ）の IIｃ部拡大図。
【図３】（ａ）は折り曲げられる前のシート材（表示体）を示すもの、（ｂ）はシート材（表示体）をミシン線で折り曲げた状態を示すもの、（ｃ）は（ｂ）の状態のシート材（表示体）を折り曲げ線で折り曲げた状態を示すもの。
【発明を実施するための形態】
【００１０】
（実施形態）
本発明の表示体１０の実施形態の一例を、図面を参照して説明する。本発明の表示体１０は、一枚のシート材２０で構成されるものであって、図１のように卓上などの設置面Ｔに自立させて使用するものである。設置面Ｔとは表示体１０を設置する場所のことであり、平滑な机、台、床などが含まれる。
【００１１】
図１及び図２（ａ）（ｂ）に示すように、この実施形態の表示体１０は、設置面Ｔに当接するベース部１と、ベース部１と連続する重なり部２と、重なり部２と連続する表示部３を備えている。
【００１２】
ベース部１は、表示体１０の台座となる部分である。この実施形態のベース部１は、縦寸法と横寸法が同じ正方形状としてある。ベース部１の形状はこれ以外であってもよい。
【００１３】
図２（ａ）（ｂ）に示すように、ベース部１の隣には重なり部２が連続して設けられている。重なり部２はベース部１の一部に重なる部分である。この実施形態では、重なり部２の面積がベース部１の面積の半分となるような寸法にしてある。
【００１４】
ベース部１と重なり部２の間にはミシン線４が設けられ、そのミシン線４の部分で谷折りできるようにしてある。図２（ｃ）に示すように、この実施形態のミシン線４は間隔をあけて一列に穿設された小さな通孔４ａ、具体的には、０．３４ｍｍの通孔と０．２３ｍｍの通孔が交互に並ぶようにして形成されている。ミシン線４を構成する通孔４ａのサイズは一例であり、これ以外であってもよい。
【００１５】
ミシン線４を構成する通孔４ａは、空気抜き用の孔としての機能を果たす。通孔４ａがない場合、重なり部２をベース部１側に重ねたときに両者間に空気が入って、隙間なく重ね難くなるが、通孔４ａを設けた場合、両者間の空気がその通孔４ａから抜けるため、両者を隙間なく重ねることができる。
【００１６】
また、本実施形態のようなミシン線４を設けることで、ベース部１と重なり部２との折り曲げ部に皺が寄らず、折り曲げた際に、ベース部１と重なり部２の間に隙間が生じ難い。
【００１７】
重なり合ったベース部１と重なり部２は接着剤６で固定されている。接着位置はベース部１及び重なり部２の幅方向中心付近であり、ベース部１の中心付近である。ベース部１と重なり部２は当該一点のみで固定され、それ以外の部分は固定されていない。
【００１８】
接着位置を一点のみとした場合、起立した表示部３を上方に持ち上げたときにベース部１の設置面側の面と設置面Ｔとの間が真空状態になり、表示体１０を設置面Ｔから上向きに引き上げられなくなる。ベース部１の裏面側が真空状態となるような構成とすることで、設置した表示体１０の不用意な落下を防止することができる。
【００１９】
重なり部２と表示部３の間には折り曲げ線５が設けられている。シート材２０は折り曲げ線５の部分で山折りすることができる。シート材２０を折り曲げ線５の部分で山折りすることで、表示部３がベース部１に対して垂直又は略垂直な状態で起立する。
【００２０】
表示部３が起立した状態のシート材２０を折り曲げ線５の部分で山折り方向と反対方向に戻すと、表示部３がベース部１と平行となるように倒伏する。
【００２１】
この実施形態では、シート材２０として縦４３０ｍｍ×横１５０ｍｍ×厚さ５０μｍ程度のＰＥＴ製シートを用いているが、シート材２０は自立可能な強度と折り曲げ可能な柔軟性を備えたものであればＰＥＴ製シート以外（例えば、コートボール紙など）であってもよい。また、その寸法は素材や用途に応じて適宜変更することができる。
【００２２】
この実施形態では、表示部３を起立させた状態で視認できる面、具体的には、図２（ａ）に示すシート材２０の表面の表示部３及びベース部１のうち重なり部２が重ならない部分、並びに、図２（ｂ）に示すシート材２０の裏面の表示部３及び重なり部２の部分に各種情報が印刷されている。
【００２３】
シート材２０に印刷する情報に特に制限はなく、例えば、表示体１０を商品のＰＯＰ広告として用いる場合、当該商品に関する情報を印刷することができ、表示体１０をカレンダーとして利用する場合、年月日等の情報を印刷することができる。
【００２４】
シート材２０に表示される情報は印刷以外の方法で表示することもできる。例えば、上方が印刷されたシール（図示しない）を貼付することによって表示することができる。なお、シート材２０に表示される情報は平面的なものであっても立体的なものであってもよい。
【００２５】
この実施形態の表示体１０は、例えば、次の手順で製造することができる。
（１）所望情報が印刷された素材シート（図示しない）をプレス機（図示しない）にセットする。
（２）前記プレス機で素材シートの外郭（輪郭）を打ち抜くと共に、所定位置にミシン線４及び折り曲げ線５を形成する（図３（ａ）参照）。
（３）打ち抜かれたシート材２０を、接着剤（ホットメルト接着剤）の塗布及びシート材２０の曲げ加工が可能な加工機（図示しない）にセットする。
（４）ベース部１の所定位置に接着剤６を塗布するとともに、シート材２０をミシン線４の部分で折り曲げて重なり部２をベース部１に固定する（図３（ｂ）参照）。
（５）重なり部２がベース部１に重なったシート材２０を前記加工機から取り出し、表示体１０を完成させる。
【００２６】
表示体１０は表示部３を倒伏させた状態で納品することができる。表示体１０を倒伏した状態（言い換えれば、偏平な状態）で納品できるため、立体的な表示体に比べて嵩張らず、取扱いが容易である。また、複数枚をコンパクトに重ねることができるため、搬送コストを押さえることができる。
【００２７】
納品先では、納品された表示体１０の表示部３をベース部１と垂直又は略垂直となる方向（起立方向）に折り曲げることで表示部３を起立させることができる（図３（ｃ）参照）。また、不使用時には、表示部３を起立方向と反対の方向（倒伏方向）に倒すことで表示部３をベース部１と平行になるように（対向するように）倒伏させることができる。
【００２８】
前記実施形態では、ベース部１、重なり部２、表示部３のそれぞれが方形状の場合を一例としているが、ベース部１、重なり部２及び表示部３のそれぞれは、広告対象である製品の形状など、方形状以外の形状とすることもできる。例えば、表示体１０を飲料のＰＯＰ広告として用いる場合、表示部３の形状を飲料容器の形状とすることができる。
【産業上の利用可能性】
【００２９】
本発明の表示体１０は、自立型のＰＯＰ広告として利用できるほか、卓上カレンダーなど、様々な分野で利用することができる。
【符号の説明】
【００３０】
１    ベース部
２    重なり部
３    表示部
４    ミシン線
４ａ  通孔
５    折り曲げ線
６    接着剤
１０  表示体
２０  シート材
Ｔ    設置面
【図１】
2020204654.tif 000003
【図２】
2020204654.tif 000004
【図３】
2020204654.tif 000005